(57)【特許請求の範囲】
【請求項１】
偏平筒状体、その中に挿入された内部シートおよび該偏平筒状体を搭載する架台を含み、該偏平筒状体は、被介護者を載置した状態で内部シートと接触しながらその円周方向に回動する被介護者移送装置であって、該移送装置には、該偏平筒状体を該架台に固定することにより形成される、該偏平筒状体の架台からの食み出し幅を規定する移動停止手段が備えられていることを特徴とする被介護者移送装置。
【請求項２】
移動停止手段が、複数の異なる食み出し幅が規定されるように備えられている請求項１記載の被介護者移送装置。
【請求項３】
偏平筒状体が、架台から着脱自在である請求項１または２記載の被介護者移送装置。
【請求項４】
架台表面の偏平筒状体との接触界面が、食み出し幅を規定する移動停止手段の位置に対して、回動方向と反回動方向とで異なった色彩に着色されている請求項１、２または３記載の被介護者移送装置。
【請求項５】
偏平筒状体の内側表面が、平滑性布帛または波状布帛で構成されている請求項１〜４のいずれかに記載の被介護者移送装置。
【請求項６】
偏平筒状体および内部シートのうちのいずれか一方の、他方と接触する面が平滑性布帛で構成され、他方の接触面が、波状布帛で構成されている請求項１記載の被介護者移送装置。
【請求項７】
偏平筒状体および内部シートが互いにその接触面において波状布帛で被覆されている請求項１記載の被介護者移送装置。
【請求項８】
平滑性布帛が平織物である請求項５または６記載の被介護者移送装置。
【請求項９】
波状布帛が綾織物である請求項５、６または７記載の被介護者移送装置。
【発明の詳細な説明】
【０００１】
【発明の属する技術分野】
本発明は被介護者の移送装置に関し、さらに詳しくは、例えばベッドからストレッチャへ、ストレッチャから手術台または医療診断装置の検査台等へ、あるいはその逆方向に被介護者を移動させたりするのに用いる被介護者移送装置に関するものである。
【０００２】
【従来の技術】
例えばベッドからストレッチャへ、ストレッチャから手術台または医療診断装置の検査台等へ、あるいはその逆方向に被介護者を移送させる場合には、通常人手によることが多く、特に体重の重い被介護者の場合は、３〜５人もの人手を要することがあり、看護者にとって多大な負担となっていた。
このような問題を解決するため、従来より、被介護者の移送を容易にするための各種装置が開発されてきた。
【０００３】
例えば、特公昭６０−２９４８９号公報には、固定支持台上に、連結枠によって回転自在に保持されたローラー群とこのローラー群を囲繞するベルトとからなるテーブル部を具備し、該テーブル部上の患者を移送する患者移送装置が開示されている。
しかしながら、上記の装置においては、装置自体が大型化し、広い設置スペースが必要となる上、移送の操作が煩雑であること、移送距離を容易に変更できないこと、装置自体が高価であること等の問題があり、まだ普及するに至っていない。
【０００４】
一方、偏平自在な円筒状マット上に患者を載置し、該円筒状マットをその円周方向にキャタピラーのように回動させて、患者を移送させるようにしたマットが用いられており、このマットの回動を円滑に行わせるために、マット内面にフッ素樹脂、カーボン球体等の円滑材を塗布する方法（特開平３−９７３１号公報）などが知られている。
このようなマットは、安価で設置スペースを必要とせず、操作も簡単である反面、円滑材が摩耗して長期間機能が継続しなかったり、また例えばベッドやストレッチャなどの支持台表面が平滑である場合、該表面とマットとの間でスリップが生じ、移動方向がずれたり、移送距離の過不足が起こることがあった。
【０００５】
また、患者を載置する上部シートと、該上部シートの下面に敷設される下部シートとからなり、該上部シートおよび下部シートのうちのいずれか一方のシートの他方のシートと接触する面を、平滑性布帛で構成し、他方のシートの接触面を、ヤーンデニールが２００ｄｅ以上の撚糸ヤーンからなる波状布帛で構成したことを特徴とする患者移動シートが提案されている（特開平７−８８１３４号公報）。この提案のシートは、円滑材を使用することなく、布帛自体の構造により、布帛間の摩擦抵抗を低下し、患者の移送や回動を容易ならしめたものである。このシートも前記マットと同様に、簡単な構造であり、その使用操作も容易であるが、支持体表面が平滑な場合、該表面と下部シートとの間でスリップが生じ、移動方向のずれが生じることがあった。
【０００６】
【発明が解決しようとする課題】
本発明の目的は、安価で設置スペースを必要とせず、操作も簡単で、支持台表面との間のスリップによる移動方向のずれがなく、しかも規定された移動距離を極めて容易に変更することが可能な被介護者移送装置を提供することにある。
【０００７】
【課題を解決するための手段】
すなわち、本発明によれば、前記目的は、下記被介護者移送装置によって達成されることが見出された。
（１）被介護者を載置した状態でその移送方向に回動自在の偏平筒状体および該偏平筒状体を搭載する架台を含む被介護者移送装置であって、該移送装置には、該偏平筒状体の架台からの食み出し幅を規定する移動停止手段が備えられていることを特徴とする被介護者移送装置。
（２）移動停止手段が、複数の異なる食み出し幅が規定されるように備えられている前記（１）項記載の被介護者移送装置。
（３）偏平筒状体が、架台から着脱自在である前記（１）または（２）項記載の被介護者移送装置。
（４）架台表面の偏平筒状体との接触界面が、食み出し幅を規定する移動停止手段の位置に対して、回動方向と反回動方向とで異なった色彩に着色されている前記（１）、（２）または（３）項記載の被介護者移送装置。
（５）偏平筒状体の内側表面が、平滑性布帛または波状布帛で構成されている前記（１）〜（４）項のいずれかに記載の被介護者移送装置。
（６）偏平筒状体の内部に内部シートが挿入されている前記（１）〜（５）項のいずれかに記載の被介護者移送装置。
（７）偏平筒状体および内部シートのうちのいずれか一方の、他方と接触する面が平滑性布帛で構成され、他方の接触面が、波状布帛で構成されている前記（６）項記載の被介護者移送装置。
（８）偏平筒状体および内部シートが互いにその接触面において波状布帛で被覆されている前記（６）記載の被介護者移送装置。
（９）平滑性布帛が平織物である前記（５）または（７）項記載の被介護者移送装置。
（１０）波状布帛が綾織物である前記（５）、（７）または（８）項記載の被介護者移送装置。
【０００８】
以下本発明についてさらに詳しく説明する。
本発明の被介護者移送装置は、患者、身体不具者および老人さらには臨死状態にある人のような自力で移動や歩行が困難な人、つまり被介護者を、ベッドからストレッチャ（架台）へ、またストレッチャから手術台、治療台、検査台または診察台など（これら以下“診療台”と総称する）へ搬送させたり、またその逆の方向へ搬送させるために使用される。
【０００９】
図１には、本発明の被介護者移送装置の一例の模式的な斜視図が示されている。図１に示されるように、本発明の被介護者移送装置は、偏平筒状体１およびそれを搭載する架台２を含み、好ましい態様によれば、偏平筒状体１は架台２から着脱自在であることができる。
【００１０】
本発明の被介護者移送装置は、偏平筒状体１を架台２から架台の幅方向に移動させた場合、架台１の端部から、偏平筒状体が食み出す幅を規定する移動停止手段が備えられている。この移動停止手段が設置されていることによって、偏平筒状体１が、架台もしくはベッド（または診療台）上でスリップしたり方向がずれたり、不必要に移動し過ぎることがなくなり、偏平筒状体１を架台２と平行関係を保ちつつ、所望の位置まで安全に移動させることが可能となる。
【００１１】
移動停止手段は、図１においては、説明上架台２の長手方向に平行に、偏平筒状体１の内側から架台２の溝５中に納められた棒４およびその棒４が挿設されるように、架台２の幅方向に平行して設けられた溝５とからなり、かつ棒５は両端部において架台２に固定できるようになっている。棒４が溝５に挿設され架台２に固定化されることによって移動停止手段が形成されることとなる。
【００１２】
図２には被介護者６をベッド７から架台２に移動させるために、偏平筒状体１をベッド側へ移動させた態様が示されている。図２の態様において、扁平筒状体１の架台２からベッド側への食み出し幅は矢印Ｌ１で示されている。この食み出し幅Ｌ２は、移動停止手段の架台２の幅内の位置によって規定されていることになる。
【００１３】
すなわち、移動停止手段の位置は、図２において、架台２の幅内において任意の位置に決めることができる。例えば図２〜４において、移動停止手段の位置が架台２において、中心部よりやや左側（ベッド７の反対方向）に設置されている。このような場合、ベッド７側への偏平筒状体１の最大食み出し幅は図２の矢印で示される幅である。これに対して架台２から診療台８へ偏平筒状体１を移動させた場合の、最大食み出し幅は、図４の矢印Ｌ２で示される幅となる。
【００１４】
このように、移動停止手段の位置に基づいて、架台２からの偏平筒状体１の食み出し幅を変えることができる。つまり偏平筒状体１の架台２からの食み出し幅は、移動停止手段の位置によって規定されていることになる。図２において、移動停止手段の位置が、架台２のベッド７側に近ければ近いほど、ベッド７側への食み出し幅は大きくなり、逆に診療台８側への食み出し幅は小さくなる。
【００１５】
本発明の被介護者移送装置の他の好ましい態様は、移動停止手段が複数の異なる食み出し幅が規定されるように備えられている構造を有する。
図１には、１個の移動停止手段が設けられた例が示されているが、例えば棒４を挿設する溝５を２〜４本、好ましくは２または３本設けることができる。そうすることによって架台２からの偏平筒状体１の食み出し幅を、ベッドや診療台の位置や方向などにより対応させて自由に変更することができる。
【００１６】
また、移動停止手段は、同時に２個所に設置してもよい。すなわち、例えば図２では移動停止手段は、架台２の中心部より、ベッド７に対してやや遠い方に位置しているが、中心部よりベッド７にやや近い方にもう１個所設置することもできる。
【００１７】
移動停止手段を同時に複数個所設置することにより、いずれか一方の停止位置における停止手段を解除（例えば図１に示すような棒を使用した場合、固定されている棒を取り除く）することによって、偏平筒状体１の食み出し幅を任意に変更することができる利点を有している。かくして架台２からベッド７または診療台８へ、あるいはその逆方向へ被介護者の移動をスムースにかつ安全に実施することが可能となる。
【００１８】
本発明の移動停止手段は、図１に示すようにパイプ状の棒の使用による固定に限定されるものではない。偏平筒状体１の架台２からの食み出し幅を規定し、その規定された幅以上に偏平筒状体１が架台から移動しないような手段であれば他の手段であっても何ら差し支えない。
【００１９】
例えば停止手段は、被介護者を偏平筒状体上に設置して移動させた場合、食み出し幅を規定する位置がしっかり固定されて、容易に動いたり、ずれたりしないことが大事である。そのための停止手段であればよく、例えば、偏平筒状体と架台とをしっかり狭持する止め具を使用してもよく、またベルトあるいはリボンを偏平筒状体中に通して、ベルトあるいはリボンを扁平筒状体の両端部において架台に固定する手段であってもよい。
【００２０】
さらに、固定ピンを使用して偏平筒状体を架台に複数個所で固定する手段であってもよい。いずれにしても偏平筒状体が架台の長さ方向に少なくとも両端で停止するような停止手段であることが望ましい。
【００２１】
本発明の移動停止手段において、偏平筒状体は架台から、取り換えや洗濯のために取り外しできるような着脱自在であることが有利である。そのため移動停止手段は、停止機能を容易に解除できるような簡単な構造であることが望ましい。前記した停止手段はそのために好ましい手段である。
【００２２】
本発明の被介護者移送装置は、被介護者を載置して搬送するための装置として好適に使用することができる。一般にはストレッチャとも称されている。この場合搬送のためにハンドルや架台の下にはキャスターなどの回転体が設置されているが、図１にはこれらは省略されている。
【００２３】
また本発明の移送装置は、被介護者の移動をスムースに実施するために、ベッドや診療台の高さの変化に対応して、架台の高さを上下に調整する機能を装置することもできる。さらに被介護者を載置して搬送する場合、被介護者が架台から滑り落ちないように架台の上部の周囲には、囲いや枠が設けられているが、これらは図面上省略されている。
【００２４】
本発明の移送装置は、偏平筒状体と接触している架台表面は全体が同じ色彩であってもよいが、偏平筒状体の食み出し幅を規定する移動停止手段の位置に対して回転部分と反回転部分とが異なる色彩に着色されていることもできる。
【００２５】
次に本発明における偏平筒状体について具体的に説明する。偏平筒状体は、被介護者をその上に載置してその幅方向に移動するために、偏平筒状体は内側の上下の接触面は、摩擦抵抗の小さい布帛で構成されていることが望ましい。かくして偏平筒状体はその内側表面が、易滑性の表面か平坦な布帛または表面が波状布帛で構成されていることが有利である。
【００２６】
ここで平滑性布帛としては、その接触面が平滑であれば、織物、編物、不織布等の任意のものが用いられるが、特にヤーンデニールが７５ｄｅ以上の撚糸ヤーンからなる平織物が、平滑性に優れているため、好適に用いられる。この場合、撚糸ヤーンの撚数は、１０〜３００Ｔ／ｍであることが好ましい。
【００２７】
また前記波状布帛は、その表面に多数の畝ないしこれに類するものを有する布帛であり、例えば畝の深さが０．１〜０．６ｍｍ、畝間隔が０．５〜５ｍｍであることが望ましい。かかる波状布帛は、ヤーンデニールが２００ｄｅ以上、好ましくはフィラメントデニールが５ｄｅ以上で、トータルデニールが４００ｄｅ〜１０００ｄｅの撚糸ヤーンを用いることにより得ることができる。ヤーンデニールが２００ｄｅ未満では、畝の深さ、間隔が小さくなりすぎて、平滑性布帛との接触面積が小さくならず、摩擦抵抗を低減させる効果が不十分となる。また、撚糸ヤーンの撚数は、１０〜３００Ｔ／ｍであることが好ましい。
【００２８】
このような波状布帛の好ましい例として、綾組織の織物を挙げることができる。綾織物は綾線が、畝を形成している。この波状布帛は織物に限らず、編物においても、太いヤーンを挿入することにより得ることができる。
平滑性布帛や波状布帛は、単独でシートとして用いることもできるが、他の布帛、マット、フィルム等を平滑性布帛や波状布帛で被覆して用いることもできるし、また、該平滑性布帛や波状布帛を他の布帛、マット、フィルム等と積層して使用することもできる。
【００２９】
本発明における平滑性布帛および波状布帛を形成する繊維は、天然繊維、化学繊維、合成繊維のいずれでもよいが、消毒処理、滅菌処理が容易な合成繊維が好ましく、特に耐摩耗性に優れたポリアミド繊維、ポリエステル繊維のフィラメントヤーンが好適である。
【００３０】
さらに、本発明の好適な態様によれば、偏平筒状体とその中に挿入された内部シートとが、平滑性布帛と波状布帛とを介して接触しており、または、互いに交差している畝を有する２枚の波状布帛を介して接触しており、偏平筒状体が内部シートと接触しながら、その円周方向にキャタピラーのように回動するため摩擦抵抗が、大幅に低下する。
その結果、偏平筒状体上に横臥した被介護者を１人の介護者が軽く押すだけであるいは引張るだけで、患者を所望の位置に楽に移動させることができる。
【００３１】
本発明における偏平筒状体は、前記したように布帛を筒状にして構成したものであってもよく、また図１に示すように偏平筒状体の内部に内部シート３が挿入されていてもよい。この場合、偏平筒状体の内側面およびその内側面と接触する内部シートの面は、いずれも平滑性布帛または波状布帛で構成するのが好ましい。従って内部シート３は平滑性布帛あるいは波状布帛で被覆して用いるのが好ましい。
【００３２】
この内部シート３を挿入する場合、偏平筒状体１および内部シート３のうち、両者が接触するいずれか一方の面を平滑性布帛で構成し、他方の面をヤーンデニールが２００ｄｅ以上の撚糸ヤーンからなる波状布帛で構成することが好ましい。また内部シート３はシート状物、フィルム状物あるいはマット状物いずれで本体が形成されていてもよいが、弾性を有するマットが好適に使用される。弾性を有するマットとしては、例えばウレタンマットが挙げられ、弾性の硬度はショアー法に基づいて４０〜１２０の範囲が望ましい。
【図面の簡単な説明】
【図１】本発明の被介護者移送装置の一例の斜視図を示したものであり、説明のため偏平筒状体１と架台２とが離脱した状態で示されている。
【図２】本発明の被介護者移送装置の使用態様を模式的に示し、図１のＡ方向から見た側面図であり、被介護者６をベッド７上において偏平筒状体１の上に載置した状態を示す。
【図３】本発明の被介護者移送装置の使用態様を模式的に示し、図１のＡ方向から見た側面図であり、図２の状態の被介護者６を偏平筒状体１を幅方向に回動して移動させ架台２の上に載置した状態を示す。
【図４】本発明の被介護者移送装置の使用態様を模式的に示し、図１のＡ方向から見た側面図であり、架台２上に載置した被介護者６を架台２から、診療台８に矢印方向に偏平筒状体１を幅方向に回動して移動させた状態を示す。
【符号の説明】
１  偏平筒状体
２  架台
３  内部シート
４  棒
５  溝
６  被介護者
７  ベッド
８  診療台
【図１】
0003575738.tif 000002
【図２】
0003575738.tif 000003
【図３】
0003575738.tif 000004
【図４】
0003575738.tif 000005